(57)【要約】【課題】多くのコンテンツを扱うビデオオンデマンドシステムや販売促進システムにおいては、多くのコンテンツの中から、自分の欲するコンテンツを探す作業が使用者の負担になるという問題があった。これを解決し、使用者の嗜好にあわせたコンテンツを容易にする、視聴情報蓄積機能付き放送受信装置および推薦コンテンツ表示装置を実現することを目的とする。【解決手段】視聴情報蓄積機能付き放送受信装置により視聴した番組に関連した情報が書き込まれた外部記録媒体３１より番組情報入力部３２が情報を入力し、嗜好分析推薦情報生成部３３は入力された情報より、使用者に適した推薦コンテンツ情報を生成し推薦情報表示部３４に表示を行う。【選択図】図３
2005094115.tif 000002
【特許請求の範囲】
【請求項１】
受信した信号より、受信中の番組に関連する複数項目の情報を取得する番組情報取得部と、番組情報取得部より入力される番組情報を記録蓄積する番組情報蓄積部と、番組情報蓄積部に記録蓄積された番組情報を外部記録媒体に対し出力を行う番組情報出力部を具備する、ディジタル放送受信装置。
【請求項２】
受信した信号より録画予約を行った番組に関連する複数項目の情報を取得する録画番組情報取得部を具備し、番組情報蓄積部が、番組情報取得部より入力された番組情報と録画番組情報取得部より入力される録画番組情報の記録蓄積を行い、番組情報出力部が番組情報蓄積部に記録蓄積された番組情報と録画番組情報を外部記録媒体に対し出力を行う請求項１記載のディジタル放送受信装置。
【請求項３】
外部記録媒体が携帯電話である、請求項１もしくは請求項２記載のディジタル放送受信装置。
【請求項４】
外部記録媒体が、無線通信ＩＦを備えたＩＣカードである請求項１もしくは請求項２記載のディジタル放送受信装置。
【請求項５】
請求項１、請求項３、請求項４に記載されたディジタル放送受信装置により記録された番組情報を、外部記録媒体より取り込みを行う番組情報入力部と、入力された情報から視聴者の嗜好を分析し分析した結果に従いコンテンツ推薦情報を生成する嗜好分析推薦情報生成部と、嗜好分析推薦情報生成部において生成されたコンテンツ推薦情報に従ってコンテンツ推薦情報を表示させる、推薦情報表示部を具備する推薦コンテンツ表示装置。
【請求項６】
請求項２、請求項３、請求項４に記載されたディジタル放送受信装置により記録された番組情報および録画番組情報の取り込みを行う番組情報入力部と、入力された情報から視聴者の嗜好を分析し分析した結果に従いコンテンツ推薦情報を生成する嗜好分析推薦情報生成部と、嗜好分析推薦情報生成部において生成されたコンテンツ推薦情報に従ってコンテンツ推薦情報を表示させる、推薦情報表示部を具備する推薦コンテンツ表示装置。
【発明の詳細な説明】
【技術分野】
【０００１】
本発明は視聴者がどのような番組を視聴あるいは録画してきたかの情報を外部に出力を行うテレビ、ＤＶＤレコーダ等のディジタル放送受信装置と、ディジタル放送受信装置により生成された視聴あるいは録画を行った番組情報を用い、航空機内エンターテイメントシステムなど複数の映像コンテンツから使用者が選択を行い視聴を行う装置に対し、使用者が行うコンテンツ選択を容易にする、あるいは販売促進に効果的なコンテンツの閲覧を使用者に促進する推薦コンテンツ表示装置に関する。
【背景技術】
【０００２】
航空機において乗客が座席に着席した状態で、音楽や映像などのコンテンツを楽しみたい時に、その要求に遠隔的に応える様にした航空機内エンターテイメントシステム装置が開発・提供されるようになってきている。ＭＰＥＧ１／２等の画像の高能率圧縮技術を用いて、たとえば、５０から２００タイトルの映画コンテンツ等、たくさんのコンテンツの選択視聴が可能になってきている。
【０００３】
従来の航空機内エンターテイメントシステムの構成を図１２に示す。
【０００４】
図１２において、１２１はプログラムビデオサービスコントロールユニット、１２２はビデオサーバ、１２３は分配・結合器、１２４から１２６は分配器、１２７から１２９はシート端末、１３０から１３２は液晶ディスプレイである。
【０００５】
ビデオサーバ１２２にはＭＰＥＧ２方式等で圧縮された映像信号が記録されている。各シート端末からのリクエストを受信することにより、プログラムビデオサービスコントロールユニット１２１が、ビデオサーバ１２２よりＭＰＥＧ２方式で圧縮されて記録されているデータを読み出し、各シート端末に対しコンテンツの配布を行う。
【０００６】
コンテンツは、分配・結合器１２３、分配器１２４、１２５、１２６を経由してコンテンツが配布される。
【０００７】
コンテンツは、ＭＰＥＧ２のトランスポートストリーム形式で１６ＱＡＭ等の変調方式で変調を行い、同軸ケーブル等を介して伝送される。
【０００８】
このときプログラムビデオサービスコントロールユニット１２１とシート端末１２７、１２８、１２９の間はＴＣＰ／ＩＰプロトコルにより通信が行われる。このＴＣＰ／ＩＰの信号についても周波数変調がかけられて、コンテンツ配信と同じ同軸ケーブルを通じて通信を行う。
【０００９】
このため、分配・結合器１２３は、ＭＰＥＧ２のトランスポートストリームと、ＴＣＰ／ＩＰ信号の信号についての周波数的な多重と、多重分離の機能を持つ、また分配器１２４、１２５、１２６においては、信号の分岐を行い、各シート端末に対し同じ信号の分配を行う。
【００１０】
シート端末１２７、１２８、１２９においては圧縮されて伝送されてくる映像音声信号について、ＭＰＥＧ２の圧縮伸張を行い、液晶ディスプレイ１３０、１３１、１３２への表示を行う（例えば、特許文献１参照）。
【特許文献１】特開２００２−３４０５９号公報  （段落番号［０００２］から［００１１］）
【発明の開示】
【発明が解決しようとする課題】
【００１１】
各コンテンツはＭＰＥＧ２方式により、３Ｍｂｐｓ程度の低ビットレートに圧縮が行われる。
【００１２】
このとき、たとえば２時間のコンテンツであったとしても、２．７Ｇｂｙｔｅのサイズにすることができる。この様なコンテンツに関してたとえば約２００本ビデオサーバに格納されていたとしても、そのコンテンツの総容量は約５４０Ｇｂｙｔｅである。近年のハードディスクドライブの価格は急速により、５４０Ｇｂｙｔｅという大きさは、コスト的に十分搭載可能な容量となってきている。
【００１３】
一方使用者はシート端末１２７、１２８、１２９から、コンテンツの選択動作を行うことになる。プログラムビデオサービスコントロールユニット１２１からは、コンテンツ選択のための、選択画面が提供される。
【００１４】
コンテンツ選択のための画面を図１３に示す。選択画面はたとえば、ＨＴＭＬで記述され、シート端末１２７、１２８、１２９においてブラウザソフトを動作させて閲覧することができる。
【００１５】
図１３に示す通り、コンテンツ表は視聴できるコンテンツの一覧表を提供する。ユーザはコンテンツ表を用いてコンテンツを選択する動作を行う。コンテンツ名を選択してクリックすることにより、コンテンツ再生が開始される様に動作させることもできる。図１３に示す通り、選択するコンテンツが２００程度である場合においては、使用者が所望のコンテンツを探す作業は、複数のＨＴＭＬ表示画面を何度も切り替えて閲覧するという作業になってしまい、このことが利用者の負担になってしまう。
【課題を解決するための手段】
【００１６】
上記課題を解決するために、本発明の視聴情報蓄積機能付き放送受信装置および推薦コンテンツ表示装置は、視聴情報蓄積機能付き放送受信装置において受信した信号より、受信中の番組に関連する複数種類の項目情報を取得する番組情報取得部と、番組の受信表示状態に関連づけられて番組情報取得部より入力される番組情報を記録蓄積する番組情報蓄積部と、番組情報蓄積部に記録蓄積された番組情報を外部記録媒体に対し出力を行う番組情報出力部を具備する。
【００１７】
また本発明の推薦コンテンツ表示装置においては、ディジタル放送受信装置により記録された外部記録媒体から、番組情報の取り込みを行う番組情報入力部と、入力された情報から視聴者の嗜好を分析し分析した結果にしたがって、コンテンツ推薦情報を生成する嗜好分析推薦情報生成部と、推薦情報生成部において生成されたコンテンツ推薦情報に従って、コンテンツ推薦情報を表示させる、推薦情報表示部を具備する。
【発明の効果】
【００１８】
本発明の視聴情報蓄積機能付き放送受信装置および推薦コンテンツ表示装置においては、上記構成を有することにより、受信中の番組に関連する、複数項目の番組情報を番組情報蓄積部に蓄積を行い、番組情報蓄積部に記録蓄積された番組情報を外部記録媒体に番組情報出力部を介して、出力記録させることができる。
【００１９】
推薦コンテンツ表示装置は外部記録装置に記録された番組情報を、番組情報入力部を介して、内部に取り込みを行う。その後、嗜好分析推薦情報生成部で番組情報の分析を行いその分析内容に従ってコンテンツ推薦情報の作成を行う。
【００２０】
このコンテンツ推薦情報は、使用者の嗜好を反映しており使用者の好む映像コンテンツや、商品情報が、より目につきやすい部分に記述されている。このコンテンツ推薦情報を、推薦情報表示部に表示を行うことにより、使用者が、膨大なコンテンツの中から、自分が必要とするコンテンツを選ぶ負荷を低減させることができる。
【００２１】
またこの装置を販売促進システムに用いることにより、より効果的な販売促進を実施することができる。
【発明を実施するための最良の形態】
【００２２】
以下、本発明の実施の形態について、図１から図１１を用いて説明する。
【００２３】
（実施の形態１）
図１は本発明の第１の実施の形態のディジタル放送受信装置の構成を示すブロック図である。
【００２４】
図１において１は操作部、２は操作受付部、３はディジタル放送受信部、４は番組情報取得部、５は番組情報蓄積部、６は番組情報出力部、７は映像・音声信号復号部、８は表示用デバイス、９はスピーカ、１０は外部記録媒体である。
【００２５】
図２はディジタル放送受信装置が受信を行うＥＩＴの構成を示す構成図である。
【００２６】
図３は本発明の第１の実施の形態の推薦コンテンツ表示装置の構成を示すブロック図である。
【００２７】
図３において、３１は外部記録媒体、３２は番組情報入力部、３３は嗜好分析推薦情報生成部、３４は推薦情報表示部である。
【００２８】
図４は本発明の第１の実施の形態の推薦コンテンツ表示装置の嗜好分析推薦情報生成部の動作を示すフローチャートである。
【００２９】
図５は本発明の第１の実施の形態の推薦コンテンツ表示装置が、表示を行うコンテンツ表である。
【００３０】
図６は本発明の推薦コンテンツ表示装置を包含した航空機内エンターテイメントシステムのハードウエア構成を示すブロック図である。
【００３１】
図６において５１はプログラムビデオサービスコントロールユニット、５２はビデオサーバ、５３は分配・結合器、５４から５６は分配器、５７から５９はシート端末、６０から６２は液晶ディスプレイ、６３は嗜好情報分析データベースである。
【００３２】
まず、図１の様に構成されたディジタル放送受信器についてその動作について説明する。
【００３３】
図１のディジタル放送受信装置は具体的にはディジタル放送を受信するテレビあるいはチューナー装置、あるいはディジタル放送受信機能を備えた、ＤＶＤレコーダの様な録画装置である。
【００３４】
まず受信を行った放送信号は、ディジタル放送受信部３において、ディジタル復調が行われる。
【００３５】
このとき、たとえば、ＢＳディジタル放送であれば、ＴＣ−８ＰＳＫ復調が行われ地上波ディジタル放送であれば、ＯＦＤＭ復調が実施され、ＭＰＥＧ２のトランスポートストリームとなる。
【００３６】
復調が行われた信号はその後、映像・音声信号復号部７において、ＭＰＥＧ２方式で圧縮された映像信号、ＡＡＣ方式で圧縮された音声信号の圧縮伸張が実施される。
【００３７】
圧縮伸張が行われた、映像信号と音声信号は、表示用デバイス８およびスピーカ９に渡されて、映像信号、音声信号の再生が行われる。
【００３８】
一方番組情報取得部４においては、ディジタル放送受信部３において受信を行ったトランスポートストリーム中に多重化されたＥＩＴ（Ｅｖｅｎｔ  Ｉｎｆｏｒｍａｔｉｏｎ  Ｔａｂｌｅ）情報より、受信している番組に関連する、番組情報を取得する。
【００３９】
取得を行った番組情報は番組情報蓄積部５に渡される。
【００４０】
一般にディジタル放送受信装置においては、リモートコントローラ等の操作部１から赤外線による操作により、操作が実施される。
【００４１】
操作部１から発信される信号は操作受付部２において受信が行われる。
【００４２】
操作受付部２においては、受信した操作信号の解釈を行う。
【００４３】
解釈の結果、チャンネルの切り替え選択であった場合においては、番組情報取得部４へ選択したチャンネル信号の伝達を行う。番組情報取得部４は、伝達されたチャンネルに関する番組情報について取得を行い、番組情報蓄積部５に番組情報を渡す。
【００４４】
この動作により、番組情報蓄積部５においては、実際に視聴を行った番組の情報の蓄積を行うことができる様になる。
【００４５】
番組情報蓄積部５において蓄積を行った番組情報は、使用者の操作等により番組情報出力部６に渡され、外部記録媒体１０に無線回線で出力される。
【００４６】
ここで、外部記録媒体と番組情報出力部間の無線回線の通信方式は、ＩＥＥＥ８０２．１１ａ、ＩＥＥＥ８０２．１１ｂ、ＩＥＥＥ８０２．１１ｇ等の無線ＬＡＮや、ＩＥＥＥ１３９４．ａ等のＵＷＢ通信、あるいは近距離無線通信方式であるＢｌｕｅｔｏｏｔｈでもよい。
【００４７】
一方外部記録媒体１０は無線通信機能とフラッシュメモリ等の不揮発性メモリを具備したＩＣカードや、無線通信機能と不揮発性メモリを持った携帯電話を用いる。
【００４８】
ＥＩＴについては社団法人電波産業会の標準規格「デジタル放送使用する番組配列情報」（ＡＲＩＢ  ＳＴＤ−Ｂ１０）として標準化が行われている。
【００４９】
ＥＩＴ情報は所定の間隔（たとえば２秒に１回）でアンテナにより受信される。このためＥＩＴ情報は受信中の放送内の複数のチャンネルの番組スケジュール、各番組の内容についての情報を含む。
【００５０】
これを用いて、通常のディジタル放送受信器においてはＥＩＴ情報から、ＥＰＧと呼ばれる電子番組表の作成を行う。
【００５１】
さらにＥＩＴは図２に示す通り、各種の記述子を含むことができる。その中で矩形式イベント記述子は番組のタイトルを示し、コンテント記述子においては番組のジャンルを示すことができる。また拡張項目イベント記述子においては複数種類の項目情報を設定することができ、たとえば記述子においてたとえば映画番組においては、主演俳優名、監督名等が記述されている。また音楽番組においては、出演を行う歌手名や曲名が記述されている。
【００５２】
これらＥＩＴに含まれている、番組のタイトル名、番組の開始日時、番組のジャンル、拡張イベント記述子において記述されている主演俳優名、監督名の各項目を、番組情報として、番組情報蓄積部５に記録を行う。
【００５３】
次に図３に示すように、推薦コンテンツ表示装置の動作について説明を行う。
【００５４】
外部記録媒体３１に記録された番組情報は、番組情報入力部３２を介して推薦コンテンツ表示装置内部に取り込まれる。
【００５５】
取り込まれた番組情報は嗜好分析推薦情報生成部３３に渡されて、嗜好の分析が行われた後、コンテンツ推薦情報の生成が行われる。
【００５６】
生成されたコンテンツ推薦情報を、推薦情報表示部３４に対して表示を行う。
【００５７】
図４のフローチャートを用い、嗜好分析推薦情報生成部３３における処理を説明する。最初にその番組に関するデータベース情報の取得を行う処理（ステップ４０１）を行う。データベース情報の取得は、以下の通り行われる。
【００５８】
まず、推薦コンテンツ表示装置自体が保持している嗜好情報分析データベースあるいはインターネットやＬＡＮを介してネットワークに接続された嗜好情報分析データベースより取得を行う。
【００５９】
このとき番組情報に含まれている、番組のタイトル名、放送開始時間をキーにして、番組の特定を行い、ＥＩＴに多重されている項目より詳細な情報を取得する。
【００６０】
次に、いくつかの項目毎にユーザが視聴を行った番組の数の累計情報を取得する。
【００６１】
図４の例ではステップ４０２において、番組ジャンル情報の累計を行う。これはどのジャンルの番組を一番多く視聴したかどうかの判別を行うために、番組ジャンル毎の番組視聴回数のカウントを行う処理のステップである。
【００６２】
次のステップ４０３で番組出演者毎に視聴した番組数をカウントする。
【００６３】
次のステップ４０４で、番組の監督情報の累計を行う、このステップにより監督毎に視聴を行った番組数をカウントする。
【００６４】
次のステップ４０５で、番組プロダクション情報をとるステップを行う。このステップにおいて、制作会社毎に視聴した番組数をカウントする処理を行う。
【００６５】
次のステップ４０６で、推薦情報生成装置が保持している搭載コンテンツについての情報の取得を行う。たとえば航空機内エンターテイメントシステム内部において保持しシステムが再生可能なコンテンツに関する情報項目の取得を行う。
【００６６】
ここで取得を行う項目はこのステップ以前に累計をとってきた項目についての取得を行う。
【００６７】
ステップ４０７で、搭載コンテンツの重み付けの実施を行う。ここではステップ４０２からステップ４０５で累計をとってきた項目毎に、それぞれ、使用者が好む番組ジャンルの順位、使用者が好む番組出演者の順位、使用者が好む番組監督順位、使用者が好む番組プロダクション順位の割り出しを行う。その後、ステップ４０６において取得を行った、搭載コンテンツの項目情報と照合を行い、各項目において、より順位が上位にランクされている項目をより多く含んでいるコンテンツから、上位にランクする様にする。
【００６８】
この結果、航空機エンターテイメントシステムに搭載しているコンテンツのランクが設定される。
【００６９】
ステップ４０８においてはステップ４０７で設定したランクに従って図５に示すコンテンツの推薦情報を含んだコンテンツ表が作成される。
【００７０】
コンテンツの表示は、推薦を行うコンテンツから、最初に表示を行う画面の上位に表示を行い、使用者の目につく場所に、コンテンツ名の表示を行う。
【００７１】
コンテンツ推薦情報作成装置の機能を包含した機内エンターテイメントシステムの具体的なハードウエア構成を示したものが、図６である。
【００７２】
図６に示す通り、外部記録媒体はシート端末に対し、ＩＥＥＥ８０２．１１ａ、ＩＥＥＥ８０２．１１ｂ、ＩＥＥＥ８０２．１１ｇ等の無線ＬＡＮや、ＩＥＥＥ１３９４．ａ等のＵＷＢ通信、あるいは近距離無線通信方式であるＢｌｕｅｔｏｏｔｈ方式で通信を行う。
【００７３】
図３における番組情報入力部は、図６の機内エンターテイメントシステムにおいては、シート端末装置５７、５８、５９に搭載されている。
【００７４】
図３における、嗜好分析推薦情報生成部３３はプログラムビデオサービスコントロールユニット５１と嗜好情報分析データベース６３により実現される。
【００７５】
このためシート端末において入力された番組情報は機内エンターテイメントシステムのネットワークを介して、プログラムビデオサービスコントロールユニット５１に伝送される。
【００７６】
嗜好情報分析データベース６３は図３における、嗜好分析推薦情報生成部３３における処理において図４のステップ４０１で行う、番組データベース情報の取得において用いるものである。
【００７７】
また図３における推薦情報表示部３４は、図６の機内エンターテイメントシステムにおいて、シート端末５７、５８、５９と液晶ディスプレイ６０、６１、６２において実行される。
【００７８】
生成されたコンテンツ推薦情報に関しては、機内エンターテイメントシステムのネットワークを介して伝送され、シート端末５７、５８、５９および液晶ディスプレイ６０、６１、６２に表示される。
【００７９】
以上の様に本実施の形態によれば、自宅で使用しているテレビ受信装置等を用いた日常の視聴活動中に自動的に番組情報の取得を行うことができる。またこの番組情報を無線通信機能を持った外部記録媒体に記録を行う機能を提供することにより、ディジタル受信装置に記録媒体を物理的に接続することなく、使用者が遠隔操作的に番組情報を取得することができる。
【００８０】
またコンテンツ推薦情報生成装置においては、視聴を行った番組の番組情報を用いて、コンテンツ推薦情報を生成させることにより、より使用者の好みにあった、ビデオコンテンツを容易に発見することが可能になる。これを、航空機内エンターテイメントシステムに用いることにより、使用者が好みのコンテンツ選択の手間を省くことが可能になり、より使いやすいシステムを提供することができる。
【００８１】
また個人が視聴した番組情報は、比較的機密性が要求される情報である。これをＩＣカードや、携帯電話といった独立したデバイスを介して運ぶことにより、たとえばインターネットの様な不特定多数の機器を経由して伝送される場合と比べ機密性を高くできるという効果も期待できる。
【００８２】
なお本実施の形態においては、番組情報出力部６と外部記録媒体１０、および外部記録媒体３１と番組情報入力部３２間の通信が８０２．１１ａ等の無線通信方式について記述しているが、必ずしもこれに限らず有線信号で接続を行う構成でもよい。
【００８３】
また本実施の形態において、嗜好分析推薦情報生成部３３において、図４に示す通り、ステップ４０１で番組データベース情報の取得を行ったが、必ずしもこの構成ではなく、外部記録媒体３１から取り込みを行った番組情報に含まれる項目だけでコンテンツ推薦情報を生成してもよい。
【００８４】
また本実施の形態の嗜好分析推薦情報生成部３３において、分析を行った番組情報の各項目は、番組ジャンル、番組出演者情報、番組監督情報、番組プロダクション情報であったが必ずしもこの項目に限らず、視聴者の嗜好を把握できる項目であれば他の項目でもよい。
【００８５】
（実施の形態２）
図７は本発明の第２の実施の形態のディジタル放送受信装置の構成を示すブロック図である。
【００８６】
図７において７１は操作部、７２は操作受付部、７３はディジタル放送受信部、７４は番組情報取得部、７５は録画番組情報取得部、７６は番組情報蓄積部、７７は映像・音声信号復号部、７８は番組情報出力部、７９は表示用デバイス、８０はスピーカ、８１は外部記録媒体である。
【００８７】
図８は本発明の第２の実施の形態の推薦コンテンツ表示装置の嗜好分析推薦情報生成部の動作を示すフローチャートである。
【００８８】
本実施の形態のディジタル放送受信装置において、映像・音声信号復号部７７および表示用デバイス７９および、スピーカ８０の動作は図１の実施の形態１と同じである。
【００８９】
また、視聴を行った番組の番組情報を番組情報取得部７４で取得を行い、番組情報蓄積部７６、番組情報出力部７８を介して、外部記録媒体８１に出力する点は、図１のディジタル放送受信装置と同じである。
【００９０】
このディジタル放送受信装置においては、実施の形態１と大きく異なる点は録画番組情報取得部７５を具備し、録画を行った番組の番組情報である録画番組情報を外部記録媒体８１に出力を行う点である。
【００９１】
操作部７１から入力されてくる、録画操作を操作受付部７２は受信する。
【００９２】
受信を行った操作受付部７２は、録画番組情報取得部７５に対して、録画を行う番組の情報取得を指示する。
【００９３】
なおここで、実時間の録画の指示もあるが、タイマー録画を行う場合のあらかじめ予約された録画予定の番組についても、録画番組情報取得部７５が予約を行った番組の情報取得を行う。
【００９４】
録画番組情報取得部は、図２に示したＥＩＴ情報から、録画を行う番組の情報取得を行うが、ここで取得を行う番組情報は、実施の形態１に示している情報と同じである。
【００９５】
具体的には番組のタイトル名、番組の開始日時、番組のジャンル、拡張イベント記述子において記述されている主演俳優名、監督名等である。
【００９６】
これを同じく番組情報蓄積部７６に蓄積を行わせ、録画番組情報として蓄積させる。
【００９７】
以上のことにより番組情報蓄積部７６に記録されている番組情報は、視聴することにより蓄積した番組情報と、録画することにより蓄積を行った録画番組情報の２種類の情報が蓄積されることとなる。
【００９８】
つまり視聴を行った番組に関する、番組のタイトル名、番組の開始時間、番組のジャンル、拡張イベント記述子等の各項目蓄積と、録画を行った番組に関しての番組のタイトル名、番組の開始時間、番組のジャンル、拡張イベント記述子の蓄積を行う。
【００９９】
これら蓄積を行った、番組情報および録画番組情報について、番組情報出力部７８から、外部記録媒体８１に対して記録を行う。
【０１００】
本実施の形態における推薦コンテンツ表示装置は、実施の形態１と同様に、図３の構成を取る。
【０１０１】
図３の構成における、外部記録媒体３１、番組情報入力部３２は、番組情報だけではなく、録画番組情報の取り込みも行う。
【０１０２】
推薦情報表示部３４の動作は、実施の形態１の場合と同様である。
【０１０３】
嗜好分析推薦情報生成部３３の動作を示すフローチャートを図８に示す。
【０１０４】
最初に番組情報および録画番組情報に記述された番組に関するデータベース情報の取得を行う処理（ステップ８０１）を行う。データベース情報の取得は、以下の通り行われる。
【０１０５】
まず、推薦コンテンツ表示装置自体が保持している嗜好情報分析データベースあるいははインターネットやＬＡＮを介してネットワークに接続された嗜好情報分析データベースより取得を行う。
【０１０６】
ステップ８０２からステップ８０５にかけて視聴を行った番組のジャンル情報の累計、番組出演情報の累計、番組監督情報の累計、番組プロダクション情報各項目の累計の計算を行う。各ステップの計算内容は、実施の形態１と同様である。
【０１０７】
次のステップ８０６からステップ８０９にかけて録画を行った番組の情報の収集を、ステップ８０２からステップ８０５までの累計の方法と同様のやり方で行う。
【０１０８】
続いてステップ８１０において航空機用エンターテイメントシステムにおいて搭載を行っている搭載コンテンツ情報の取得を行う。
【０１０９】
ここで取得を行う項目はこのステップ以前に累計をとってきた項目についての取得である。
【０１１０】
ステップ８１１において、搭載コンテンツの重み付けの実施を行う。ここではステップ８０２からステップ８０９の期間において累計をとってきた項目に従って、それぞれ、使用者が好む番組ジャンルの順位、使用者が好む番組出演者の順位、使用者が好む番組監督順位、使用者が好む番組プロダクション順位の割り出しを行う。その後、ステップ８１０において取得を行った、搭載コンテンツの項目との照合を行い、各項目において順位が上位にランクされている項目をより多く含んでいるコンテンツから、上位にランクする様にする。
【０１１１】
このランクの決定において録画を行った、番組の項目の順位を単に視聴を行った番組の項目順位より重く用いるパラメータとして計算を行う。
【０１１２】
この作成を行ったコンテンツの重み付けに従って、ステップ８１２においてコンテンツ推薦情報の生成を行う。
【０１１３】
本実施の形態によれば、ディジタル放送受信器において、通常視聴を行った番組に関する番組情報に加えて、録画を行った番組に関する録画番組情報を取得する。
【０１１４】
わざわざ録画をしてまで視聴したいと思う番組あるいは、録画をしてまで保存をしておきたい番組は、より視聴者の好みに合致した番組である場合が多い。コンテンツ推薦情報生成装置において、番組情報に加えて、録画番組情報を用いることにより、より視聴者の好みに合致した、コンテンツ推薦情報を生成することができる。
【０１１５】
なお本実施の形態においては、番組情報出力部７８と外部記録媒体８１、および外部記録媒体３１と番組情報入力部３２間の通信が８０２．１１ａ等の無線通信方式について記述しているが、必ずしもこれに限らず、有線信号で接続を行う構成でもよい。
【０１１６】
また本実施の形態では、嗜好分析推薦情報生成部３３において、図８のステップ８０１に示すように、番組データベース情報の取得を行ったが必ずしもこの構成ではなく、外部記録媒体３１から取り込みを行った番組情報に含まれる項目だけでコンテンツ推薦情報を生成してもよい。
【０１１７】
また本実施の形態において、コンテンツ推薦情報作成を行うための各項目は、番組ジャンル、番組出演者情報、番組監督情報、番組プロダクション情報であったが必ずしもこの項目に限らず、視聴者の嗜好を把握できる項目であれば他の項目でもよい。
【０１１８】
また本実施の形態において、嗜好分析推薦情報生成部３３においてコンテンツ推薦情報作成を行う項目は、番組情報と録画番組情報の双方を用いたが、必ずしもこれに限らず、録画番組情報のみで生成を行ったとしてもほぼ同等の効果が得られる。
【０１１９】
（実施の形態３）
図９は本発明の第３の実施の形態における、コンテンツ推薦情報生成装置の嗜好分析推薦の情報生成部の動作を示すフローチャートである。
【０１２０】
図１０は本発明の第３の実施の形態における、コンテンツ推薦情報生成装置が生成を行うコンテンツ推薦情報である。
【０１２１】
図１１は本発明の第３の実施の形態における、コンテンツ推薦情報生成装置のハードウエア構成を示すブロック図である。
【０１２２】
図１１において１１０はモニタ、１１１はＣＰＵ、１１２はシステムメモリ、１１３はホストバスブリッジ、１１４はグラフィックコントローラ、１１５はハードディスクドライブ、１１６は無線モジュール、１１７はネットワークインターフェースボード、１１８は嗜好分析データベースである。
【０１２３】
本実施の形態においては、コンテンツ推薦情報生成装置が、百貨店等の大規模な販売店における販売促進装置として用いられる場合について説明を行う。
【０１２４】
コンテンツ情報推薦装置の構成は図３の構成である、外部記録媒体３１、番組情報入力部３２、および嗜好分析推薦情報生成部３３の動作は実施の形態１と同様である。
【０１２５】
図９に嗜好分析部の動作を示すフローチャートを示す。
【０１２６】
図９に示す通り、ステップ９０１において番組データベース情報より番組情報の取得を行う。このとき、まずコンテンツの番組名および番組の放送開始時間をキーにして、番組の特定を行う。
【０１２７】
特定を行った番組から、番組に関連するキーワードについて番組データベース情報より取得を行う。
【０１２８】
番組のキーワードとしてはたとえば、温泉、ファッション、パソコン、英会話、車、プロ野球、ラーメン、健康、クラシック音楽等の番組のキーワードそのものが、商品の売り上げに結びつくものが取得される。
【０１２９】
視聴を行った番組について、それぞれ複数のキーワードが用意されることになる。
【０１３０】
ステップ９０２において前のステップにおいて取得を行ったキーワードについての累計をとる。
【０１３１】
これはそれぞれのキーワードについて、キーワードと関連づけられた番組を何回視聴を行ったか、番組数のカウントを行うものである。
【０１３２】
ステップ９０３においてコンテンツ推薦情報生成装置において搭載を行っているコンテンツに関連するキーワードの取得を行う。
【０１３３】
ステップ９０４において、コンテンツ推薦情報生成装置において搭載を行っているコンテンツがステップ９０２において累計を行ったキーワードに対し、どのくらいのマッチングがとれたかの判定を行い、コンテンツの順位付けを行う。
【０１３４】
たとえば、健康というキーワードを含んだ番組を一番多く視聴している場合は、健康というキーワードを含んだコンテンツが上位にくる様にランクされる。
【０１３５】
その後ステップ９０５においてランクを行ったコンテンツ推薦情報が生成される。
【０１３６】
この実施の形態におけるコンテンツはたとえば、ＨＴＭＬで記述された文字情報等で構成されている。
【０１３７】
図１０にコンテンツ情報を示す。
【０１３８】
図１１に示す通り、本実施の形態のコンテンツ推薦情報生成装置はパーソナルコンピュータにより実現することができる。
【０１３９】
図３における、番組情報入力部３２は無線モジュール１１６、ホストバスブリッジ１１３、システムメモリ１１２、ＣＰＵ１１１とシステムメモリ１１２、ＣＰＵ１１１で動作を行うソフトウエアで実現することができる。
【０１４０】
また図３における嗜好分析推薦情報生成部３３については、番組データベース情報はインターネットに接続された、嗜好分析データベース１１８に搭載されている。
【０１４１】
この情報をネットワークＩＦボード１１７を介して取得を行い、ＣＰＵ１１１、システムメモリ１１２、ホストバスブリッジ１１３のハードウエアとＣＰＵ１１１およびシステムメモリ１１２上で動作を行うソフトウエアで実現される。
【０１４２】
生成されたコンテンツ推薦情報は、グラフィックコントローラ１１４で描画が行われて、モニタ１１０に出力される。これらが図３の推薦情報表示部に当たる。
【０１４３】
本実施の形態によれば、コンテンツ推薦情報生成装置が、取得を行った番組情報に加えて番組視聴と商品購入に関連したキーワードに基づいた、コンテンツ推薦情報を生成することができる。このことにより、視聴者の好みに合致したコンテンツの閲覧を促進することができ、商品の販売の推進を行うことができる。
【０１４４】
なお本実施の形態においては、番組情報出力部と外部記録媒体、および外部記録媒体と番組情報入力部間の通信が８０２．１１ａ等の無線通信方式について記述しているが、必ずしもこれに限らず、有線信号で接続を行う構成でもよい。
【０１４５】
なお本実施の形態において、嗜好分析推薦情報生成部３３は視聴を行った番組情報のみを用いて生成を行ったが、必ずしもこれに限らず、実施の形態２のディジタル放送受信装置で生成された録画番組情報を用いて生成しても同等の効果が得られる。
【産業上の利用可能性】
【０１４６】
本発明にかかる視聴情報蓄積機能付き放送受信装置および推薦コンテンツ表示装置は、視聴情報蓄積機能付き放送受信装置において受信中の番組に関連する、複数項目の番組情報を番組情報蓄積部に蓄積を行い、番組情報蓄積部に記録蓄積された番組情報を外部記録媒体に番組情報出力部を介して、出力記録させることができる。
【０１４７】
また推薦コンテンツ表示装置は外部記録装置に記録された番組情報を、番組情報入力部を介して、内部に取り込みを行う。その後、入力されたコンテンツの内容の分析を嗜好分析部において行い、その分析内容に従ってコンテンツ推薦情報の作成を行う。
【０１４８】
このコンテンツ推薦情報は、使用者の嗜好を反映しており使用者の好む映像コンテンツや、商品情報が、より目につきやすい部分に記述される。
【０１４９】
コンテンツ推薦情報を、推薦情報表示部に表示を行うことにより、使用者が、膨大なコンテンツの中から、自分が必要とするコンテンツを選ぶ負荷を低減させることができ、また興味のある内容のコンテンツを選択して目につく箇所に配置することができるという特有の効果を有する。
【０１５０】
これにより多くの映像コンテンツを使用者の選択にあわせて提供する航空機用エンターテイメントシステムの様なビデオオンデマンドシステムや、販売促進システム等の用途に有用である。
【図面の簡単な説明】
【０１５１】
【図１】本発明の第１の実施の形態のディジタル放送受信装置の構成を示すブロック図
【図２】ＥＩＴの構成を示す構成図
【図３】本発明の第１の実施の形態の推薦コンテンツ表示装置の構成を示すブロック図
【図４】本発明の第１の実施の形態の推薦コンテンツ表示装置の嗜好分析推薦情報生成部の動作を示すフローチャート
【図５】本発明の第１の実施の形態の推薦コンテンツ表示装置が表示を行うコンテンツ表を示す図
【図６】本発明の第１の実施の形態の推薦コンテンツ表示装置を包含した航空機内エンターテイメントシステムのハードウエア構成を示すブロック図
【図７】本発明の第２の実施の形態のディジタル放送受信装置の構成を示すブロック図
【図８】本発明の第２の実施の形態の推薦コンテンツ表示装置の嗜好分析推薦情報生成部の動作を示すフローチャート
【図９】本発明の第３の実施の形態におけるコンテンツ推薦情報生成装置の嗜好分析推薦情報生成部の動作を示すフローチャート
【図１０】本発明の第３の実施の形態におけるコンテンツ推薦情報生成装置が生成を行う推薦情報を示す図
【図１１】本発明の第３の実施の形態におけるコンテンツ推薦情報生成装置のハードウエア構成を示すブロック図
【図１２】従来の航空機内エンターテイメントシステムの構成図
【図１３】従来の航空機内エンターテイメントシステムの提供するコンテンツ表を示す図
【符号の説明】
【０１５２】
１  操作部
２  操作受付部
３  ディジタル放送受信部
４  番組情報取得部
５  番組情報蓄積部
６  番組情報出力部
７  映像・音声信号復号部
８  表示用デバイス
９  スピーカ
１０  外部記録媒体
３１  外部記録媒体
３２  番組情報入力部
３３  嗜好分析推薦情報生成部
３４  推薦情報表示部
５１  プログラムビデオサービスコントロールユニット
５２  ビデオサーバ
５３  分配・結合器
５４  分配器
５５  分配器
５６  分配器
５７  シート端末
５８  シート端末
５９  シート端末
６０  液晶ディスプレイ
６１  液晶ディスプレイ
６２  液晶ディスプレイ
６３  嗜好情報分析データベース
７１  操作部
７２  操作受付部
７３  ディジタル放送受信部
７４  番組情報取得部
７５  録画番組情報取得部
７６  番組情報蓄積部
７７  映像・音声信号復号部
７８  番組情報出力部
７９  表示用デバイス
８０  スピーカ
８１  外部記録媒体
１１０  モニタ
１１１  ＣＰＵ
１１２  システムメモリ
１１３  ホストバスブリッジ
１１４  グラフィックコントローラ
１１５  ハードディスクドライブ
１１６  無線モジュール
１１７  ネットワークインターフェースボード
１１８  嗜好分析データベース
【図１】
2005094115.tif 000003
【図２】
2005094115.tif 000004
【図３】
2005094115.tif 000005
【図４】
2005094115.tif 000006
【図５】
2005094115.tif 000007
【図６】
2005094115.tif 000008
【図７】
2005094115.tif 000009
【図８】
2005094115.tif 000010
【図９】
2005094115.tif 000011
【図１０】
2005094115.tif 000012
【図１１】
2005094115.tif 000013
【図１２】
2005094115.tif 000014
【図１３】
2005094115.tif 000015